(57)【要約】【課題】生体の複数の特定箇所の寸法を計測して、それらの寸法を間違いなく演算して正確な指標値を表示できる生体の指標値測定装置を提供する。【解決手段】心臓の横径および胸郭の横径の寸法をローラ５により計測し、それら寸法をそれぞれ記憶部３１に記憶させ、その記憶部３１に記憶させた寸法を演算部３２により演算して心胸比を求める。この心胸比を表示部４に表示させる。【選択図】      図１
2004298318.tif 000002
【特許請求の範囲】
【請求項１】
生体の複数の特定箇所の寸法を計測し、それらの寸法に基づいて生体の所定の指標値を自動的に演算して表示する生体の指標値測定装置であって、
前記生体の複数の特定箇所の寸法を計測する計測手段と、
前記計測手段により計測された複数の寸法をそれぞれ記憶する記憶手段と、
前記記憶手段に記憶された複数の寸法を自動的に演算して生体の所定の指標値を得る演算手段と、
前記演算手段により得られた所定の指標値を表示する表示手段とを備えていることを特徴とする生体の指標値測定装置。
【請求項２】
前記計測手段がローラの回転により寸法を計測するものであることを特徴とする請求項１記載の生体の指標値測定装置。
【請求項３】
押圧部と、該押圧部を計測者が押圧している間だけ計測が行なわれ、押圧を止めると計測が中止される計測制御機構とを備えることを特徴とする請求項２記載の生体の指標値測定装置。
【請求項４】
前記計測手段が、生体の胸部を撮影した画像を使用して、生体の心臓の横径および胸郭の横径を計測することを特徴とする請求項１ないし３のいずれか１つに記載の生体の指標値測定装置。
【請求項５】
前記計測手段の計測精度を向上させる計測補助手段が設けられていることを特徴とする請求項１ないし４のいずれか１つに記載の生体の指標値測定装置。
【請求項６】
前記表示手段が、計測した寸法、生体の所定の指標値および計測を促す指示を表示する表示画面を有することを特徴とする請求項１ないし５のいずれか１つに記載の生体の指標値測定装置。
【請求項７】
前記表示手段が、複数箇所の生体寸法の計測を促す要求を表示する請求項６記載の生体の指標値測定装置。
【請求項８】
前記表示手段は、心臓の横径の計測を要求する表示、計測後の心臓の横径の寸法表示、その後胸郭横径の計測を要求する表示、計測後の胸郭横径の寸法表示、両寸法から演算して求めた心胸比の表示を順次行なうことを特徴とする請求項７記載の生体の指標値測定装置。
【請求項９】
前記演算手段による演算結果が規定範囲から外れている場合に、異常値であることを報知する報知手段を有することを特徴とする請求項１ないし８のいずれか１つに記載の生体の指標値測定装置。
【発明の詳細な説明】
【０００１】
【発明の属する技術分野】
本発明は、生体の複数の特定箇所の寸法を計測し、それらの寸法から所定の指標値を演算してその演算結果を表示する測定装置に関する。
【０００２】
【従来の技術】
従来より、病院等においては、患者の身体における複数の特定箇所の寸法を計測し、それらの寸法に基づいて所定の指標値を演算して、この演算結果が規定範囲内にあるか否かを観察して、患者の身体的健全性を判断することが行なわれている。このように指標値に基づいて身体的健全性を判断することは、例えば、成人病のうち、心臓疾患の診察に利用されている。
【０００３】
すなわち、心臓疾患では心臓の異常な肥大又は拡大を伴なうのが常であり、その程度をあらわす量としては、心臓の横径と胸郭の最大横径との比、所謂心胸比が普遍的に用いられている。この心胸比を求める際には、一般的に、胸部Ｘ線写真上に定規を当てて、心臓の横径と胸郭の横径とを計測し、それをメモした上で手作業で計算している。また、そのような手作業を無くする方法として、Ｘ線写真をコンピュータで自動分析して、心胸比を自動的に演算し、表示する方法も知られている。
【０００４】
ところで、前記したようにコンピュータを用いて心胸比を求める技術では、人手を介さずに心胸比を得られるので、誰でも正確な値が得られるメリットを有する一方、設備が大掛かりであり、設備投資が高く、どこの病院でも採用できるものではない。また、コンピュータへのデータ入力や画像処理が必要であるため、Ｘ線写真と患者を目の前にして、即座に心胸比を得られるものではない。
【０００５】
そのため、多くの場合、初めに述べたもののように、手作業で定規やメジャーを用いてＸ線写真上の心臓の横径、胸郭の横径をそれぞれ計測した後、電卓或は計算尺により心胸比を演算して求めている。
【０００６】
そのように、簡単な道具を使用して心胸比を求めるものとして、卓上型の心胸比計測用シャーカステンが知られている（例えば、特許文献１参照）。
【０００７】
前記特許文献１の心胸比測定装置では、シャーカステンの盤面上に縦の中心線およびその両側に所望の間隔で中心線に平行な多数の目盛り線が施されており、また、適宜な位置に電子式計算機が取付けられている。このものでは、シャーカステンの盤面上にＸ線写真を掛けて、目盛り線とその下部に付した目盛線数字から心臓の横径や胸郭の横径を読取りその値を電子計算機に入力し、心胸比を演算するようにしている。
【０００８】
【特許文献１】
実開昭６２−１６０９１１号公報
【０００９】
【発明が解決しようとする課題】
ところで、前記特許文献１のもののように、目盛り線により心臓の横径と胸郭の横径とを計測して演算するようにすると、これらの計測値を記録或は記憶し、計算することが必要である。
【００１０】
しかしながら、例えば、心胸比を求める場合には、心臓の横径は通常２桁の数値で表され、胸郭の横径は３桁の数値で表されるので、計測値の記憶には集中力を必要とし、また、数値の記録には、意識の集中記入作業、誤記入を防止するための注意が必要となる。加えて、これらの計測値から心胸比を演算するためには、より高い集中力が必要である。
【００１１】
そして、前記のように注意力や集中力が必要な一連の作業を行う際には、それら各作業において、例えば、記憶ミス、記載ミス、演算ミス等が生じて正確な心胸比が得られない虞れがある。
【００１２】
また、これらの作業は、通常、患者の診察中に行われるものであり、その作業中には患者との会話や診察を中断しなければならない。また、診察中でなくても、何らかの作業を行っている場合には、その作業の中断を余儀なくされることもある。
【００１３】
本発明は、前記不具合を解消することを狙いとしてなされたものであり、その目的とするところは、生体の複数の特定箇所の寸法を計測して、それらの寸法を間違いなく演算して正確な指標値を表示できる生体の指標値測定装置を提供することにある。
【００１４】
【課題を解決するための手段】
前記目的を達成するために、請求項１の発明では、生体の複数の特定箇所の寸法を計測し、それらの寸法に基づいて生体の所定の指標値を自動的に演算して表示する生体の指標値測定装置を対象とする。
【００１５】
そして、生体の複数の特定箇所の寸法を計測する計測手段と、前記計測手段により計測された複数の寸法をそれぞれ記憶する記憶手段と、前記記憶手段に記憶された複数の寸法を自動的に演算して生体の所定の指標値を得る演算手段と、前記演算手段により得られた所定の指標値を表示する表示手段とを備えている構成とする。
【００１６】
この構成では、生体の複数の特定箇所の寸法を計測して、それら寸法を記憶手段に記憶させ、演算手段により記憶手段に記憶した寸法を自動的に演算して指標値が求められるので、従来のように寸法の記憶ミス、記載ミスおよび演算ミス等が発生せず、正確な指標値が得られる。そして、このように求められた指標値が表示手段に表示されるので、例えば、病院等において患者の身体の指標値を求める場合には、患者との会話中でもその会話が途切れることなく、その指標値を即座に確認して、患者に即座にフィードバック可能となる。
【００１７】
請求項２の発明は、請求項１に記載の生体の指標値測定装置において、前記計測手段がローラの回転により寸法を計測する構成であり、簡単に且つ高精度に計測できる。
【００１８】
請求項３の発明は、請求項２に記載の生体の指標値測定装置において、押圧部と、該押圧部を計測者が押圧している間だけ計測が行なわれ、押圧を止めると計測が中止される計測制御機構とを備えるので、必要な時に必要な箇所のみの寸法を計測できるとともに簡単に且つ高精度に計測できる。
【００１９】
請求項４の発明は、請求項１ないし３のいずれか１つに記載の生体の指標値測定装置において、前記計測手段が、生体の胸部を撮影した画像を使用して、生体の心臓の横径および胸郭の横径を計測するので、この計測値に基づいて心胸比を自動的に求めることができ、例えば、患者を診察している場合には、患者との会話中でも会話が途切れることなく、心胸比に基づいて患者との会話を継続できる。
【００２０】
請求項５の発明は、請求項１ないし４のいずれか１つに記載の生体の指標値測定装置において、前記計測手段の計測精度を向上させる計測補助手段が設けられているので、特定箇所の寸法を高精度に計測できる。
【００２１】
請求項６の発明は、請求項１ないし５のいずれか１つに記載の生体の指標値測定装置において、前記表示手段が、計測した寸法、生体の所定の指標値および計測を促す指示を表示する表示画面を有するので、計測者が特定箇所の寸法を忘れることなく確実に計測でき、また、計測した寸法および指標値を確認できる。
【００２２】
請求項７の発明は、請求項６に記載の生体の指標値測定装置において、前記表示手段が、複数箇所の生体寸法の計測を促す要求を表示するので、複数箇所の寸法をタイミング良く計測できる。
【００２３】
請求項８の発明は、請求項７に記載の生体の指標値測定装置において、前記表示手段は、心臓の横径の計測を要求する表示、計測後の心臓の横径の寸法表示、その後胸郭横径の計測を要求する表示、計測後の胸郭横径の寸法表示、両寸法から演算して求めた心胸比の表示を順次行なうので、一連の作業を間違うことなく確実に実行できる。
【００２４】
請求項９の発明は、請求項１ないし８のいずれか１つに記載の生体の指標値測定装置において、前記演算手段による演算結果が規定範囲から外れている場合に、異常値であることを報知する報知手段を有するので、異常を即座に確認できる。
【００２５】
【発明の実施の形態】
以下、本発明の実施形態を図面に基づいて説明する。
【００２６】
図１は、本発明に係る生体の指標値測定装置を心胸比測定装置に適用した場合を示す。また、図２は、本体１が有する制御システムのブロック図を示す。
【００２７】
心胸比測定装置の本体１の下端には、計測手段としてのローラ２が回転可能に取付けられている。本体１の内部には、制御回路３が内蔵されている。この制御回路３は、ローラ２の回転を移動長さに変換して記憶し、その移動長さを所定の演算式により演算して、その結果を表示手段としての表示部４に伝送するように構成されている。
【００２８】
５は本体１の上部に設けられた押ボタン式スイッチ（押圧部）であって、制御回路３は、押ボタン式スイッチ５を押し下げている間にローラ２の回転による移動長さを計測し、離すとローラ２が回転しても移動長さの計測が行なわれないように構成されている。すなわち、制御回路３が計測制御機構を備えている。
【００２９】
表示部４の下部に設けられたランプ６は計測中に点灯し、計測してない時に点灯されない。ランプ６の隣には報知手段としてのランプ７が設けられていて、演算結果が異常の際に点灯する。心胸比測定装置の本体１の前面には、心胸比測定装置本体１の作動をオンーオフするスイッチ８が設けられている。
【００３０】
制御回路３は記憶手段としての記憶部３１および演算手段としての演算部３２を備え、記憶部３１は、ローラ２により計測した心臓の横径および胸郭の横径の寸法を記憶し、一方、演算部３２は、記憶部３１に記憶された寸法を所定の演算式に基づいて演算して心胸比を演算する。この演算された心胸比は、記憶部３１に記憶される。また、制御回路３により、記憶部３１に記憶された各寸法および心胸比が表示部４に伝送されて、該表示部４の表示画面４ａに表示される。
【００３１】
図３は胸部のＸ線写真の概略を示し、１０は正中線と呼ばれる規準線、１１は心臓、１２および１２’は肺郭を示す。１３が心臓の横径、１４が胸郭の横径を示す。心胸比測定装置により心胸比を求める手順について説明する。心胸比測定装置本体１のスイッチ８をオンにすると、表示部４に、「心臓の横径を計測して下さい。」と表示され、計測者に心臓の横径１３の計測を促す。その後、心胸比測定装置の本体１をＸ線写真の上に重ね、心臓の横径１３の一端部にローラ２をセットする。そして、押ボタン式スイッチ５を押したまま、本体１を心臓の横径１３の他端部に向けて写真上を移動させると、ローラ２が回転して他端部に達し、そのときに押ボタン式スイッチ５を離す。この間のローラ２の回転が移動長さ、すなわち心臓の横径１３の寸法に変換され、この寸法が記憶部３１に記憶されるとともに、表示部４に「心臓の横径は○○です。宜しいですか？」と表示される。
【００３２】
その数秒後に、表示部４に「胸郭の横径を測定して下さい。」と表示され、計測者に胸郭の横径１４の計測を促す。そして、前記心臓の横径１４を計測した場合と同様にして、押ボタン式スイッチ５を押したまま、胸郭の横径１４の一端部から他端部に向けてＸ線写真上を移動させる。ローラ２が胸郭の横径１４の他端部まで達すると、押ボタン式スイッチ５を離す。この間のローラ２の回転が、移動長さ、すなわち胸郭の横径１４の寸法に変換され、この寸法が記憶部３１に記憶されるとともに、表示部４に「胸郭の横径は△△です。宜しいですか？」と表示される。
【００３３】
その数秒後に、演算部３２により前記記憶部３１に記憶されている心臓の横径１３および胸郭の横径１４の寸法から心胸比が演算され、記憶部３１に記憶されるとともに、表示部４に「心胸比は××です。」と表示される。この際、心胸比の演算結果が規定範囲から外れている場合には、ランプ７が点灯して異常値であることが計測者に報知される。
【００３４】
尚、表示部４に表示される表示文章および表示方法は、前記実施形態のものに限られず、他の表示文章および表示方法であってもよい。また、図示していないが、上述の確認メッセージが表示された際に、それで問題無い場合には、それを押して作業を継続できる「実行ボタン」を設けてもよく、また、誤って計測値を入力した場合のように入力をやり直したい場合には、それを押して入力をやり直せる「リセットボタン」を測定装置に設けてもよい。また、バッテリーは図示してないが、本体１内に内蔵されている。
【００３５】
このように本発明では、前記心胸比測定装置をＸ線写真上で移動させるだけで、心臓の横径１３および胸郭の横径１４の寸法を計測して、これら寸法を記憶部３１に記憶させてから演算部３２により演算して心胸比を求めるようにしたので、従来のように寸法の記憶ミス、記載ミスおよび演算ミス等が発生せず、正確な心胸比を得ることができる。そして、このように求められた心胸比が表示部４に表示されるので、患者との会話中でもその会話が途切れることなく、その心胸比を即座に確認して、患者に即座にフィードバックできる。
【００３６】
前記のような装置は、複数の予め決まったフローによって、作業が進められるので、（計測手段、記憶装置、計算手段、表示手段等の）ハードウェア的にも、ソフトウェア的にも、簡便なもので安価に実現することができる。例えば、ポケット計算機を改造したようなハード、ソフトで本発明の測定装置の一例を作製することができるため、既述したような大掛かりな画像処理装置付きの測定装置と比べて、はるかに安価なものになる。
【００３７】
前記実施形態では、押ボタン式スイッチ５を本体１の上面に設けたが、この位置に限られるものではなく、別の位置でもよい。ランプ６は報知用のランプ７と置き換えてもよい。ランプ６は、押ボタン式スイッチ５が押されて、計測可能状態であることを計測者に認知させることができればよいものであり、このランプ６に限られるものではない。また、ランプ６を省略して、押ボタン式スイッチ５を押している間、例えば、押ボタン式スイッチ５や表示部４が明るくなるようにしてもよい。また、ランプ６はこの位置に限られるものではなく、別の位置でもよい。スイッチ８も前記実施形態の位置に限られるものではなく、他の位置であってもよい。
【００３８】
ランプ７は心胸比の演算結果が規定範囲から外れている場合に点灯するが、規定範囲外の場合に赤色で、規定範囲内の場合に青色で点灯するようにしてもよい。
【００３９】
図４は、この心胸比測定装置を構成する計測補助手段２０を示す。計測補助手段２０はプレート２１を備え、該プレート２１は透明のプラスチック材からなり、略矩形状となっている。このプレート２１の両側にはガイドレール２２が設けられ、このガイドレール２２に跨ってガイド２３が上下にスライド可能に配設されている。このプレート２１の左右中央に縦に中心線２４が描かれている。前記プレート２１、ガイドレール２２およびガイド２３により計測補助手段２０が構成されている。
【００４０】
計測補助手段２０は、図３に示す胸部Ｘ線写真上に対して、心胸比測定装置本体１を横に真直ぐに移動させた際に、その軌跡が曲がって計測誤差が生じる虞れがある場合に利用する。すなわち、心臓の横径１３や胸郭の横径１４等を計測する際に、これらの横径を計測する位置の近くにガイド２３をセットする。そして、このガイド２３に沿わせて、心胸比測定装置本体１を横に移動させる。このようにガイド２３に沿わせて心胸比測定装置本体１を動かすことによって、心胸比測定装置本体１を真直ぐ横に移動させることができる。
【００４１】
プレート２３は、図４に示したような単なる矩形のプレートでもよいが、その矩形プレートの中心部にローラ２の挿入できる細長い溝を形成するようにしてもよく、この場合、ローラ２が前記の溝に沿って移動し、心臓の横径１３や胸郭の横径１４を計測できるので、計測精度が向上できる。
【００４２】
尚、前記実施形態では中心線２を設けたが、この線が煩わしいような場合には、中心線２の無いものであってもよい。また、プレート２１は透明のものを使用したが、透明に限らず半透明でもよい。
【００４３】
前記実施形態では、本発明の生体の指標値測定装置を心胸比測定装置として使用した場合で説明したが、心胸比測定装置以外の生体の指標値を測定するものに適用してもよい。
【００４４】
【発明の効果】
本発明によれば、生体の複数の特定箇所の寸法を計測する計測手段と、前記計測手段により計測された複数の寸法をそれぞれ記憶する記憶手段と、前記記憶手段に記憶された複数の寸法を自動的に演算して生体の所定の指標値を得る演算手段とを備えているので、従来のように寸法の記憶ミス、記載ミスおよび演算ミス等が発生せず、正確な指標値を得ることができる。そして、演算手段により得られた所定の指標値が表示手段に表示されるので、例えば、病院等において患者の身体の指標値を求める場合には、患者との会話中でもその会話が途切れることなく、その指標値を即座に確認して、患者に即座にフィードバックできる。
【図面の簡単な説明】
【図１】本発明の実施形態に係る心胸比測定装置を示す。
【図２】図１の心胸比測定装置の制御ブロック図を示す。
【図３】胸部のＸ線写真の概略を示す。
【図４】胸部の計測に計測補助装置を利用した場合を示す。
【符号の説明】
１      心胸比測定装置の本体
２      ローラ（計測手段）
３      制御回路
４      表示部（表示手段）
４ａ    表示画面
５      押ボタン式スイッチ（押圧部）
６      ランプ
７      ランプ（報知手段）
８      スイッチ
１３    心臓の横径
１４    胸郭の横径
２０    計測補助手段
３１    記憶部（記憶手段）
３２    演算部（演算手段）
【図１】
2004298318.tif 000003
【図２】
2004298318.tif 000004
【図３】
2004298318.tif 000005
【図４】
2004298318.tif 000006